(57)【要約】【課題】操作者に眩しさを感じさせることなく速やかに所望の画像を投映する。【解決手段】画像データに基づく画像を再生する再生部４４と、前記再生部による前記画像の再生時に、前記画像の明度が所定の明度に低下する画像処理を前記画像データに対して施した後、前記画像の明度が徐々に上昇する画像処理を前記画像データに対して施す画像処理部４９とを備える。【選択図】図２
2013250358.tif 000002
【特許請求の範囲】
【請求項１】
画像データに基づく画像を再生する再生部と、
前記再生部による前記画像の再生時に、前記画像の明度が所定の明度に低下する画像処理を前記画像データに対して施した後、前記画像の明度が徐々に上昇する画像処理を前記画像データに対して施す画像処理部と
を備えることを特徴とする画像再生装置。
【請求項２】
前記再生部は、前記画像を投映する投映部であることを特徴とする請求項１記載の画像再生装置。
【請求項３】
前記再生部による前記画像の再生時に、前記投映部から射出する投映光の輝度を所定の輝度に低下させた後、前記投映光の輝度が徐々に上昇する輝度調整を行う輝度調整部を備えることを特徴とする請求項２記載の画像再生装置。
【請求項４】
前記画像処理部は、前記輝度調整が行われた場合において、投映光の輝度が所定の輝度に到達するまでの間は前記画像の明度が緩やかに上昇するように前記画像処理を行い、その後前記輝度調整が完了するまでの間は前記画像の明度の上昇を早めるように前記画像処理を行うことを特徴とする請求項３に記載の画像再生装置。
【請求項５】
前記投映部が人に覗き込まれているか否かを判定する判定部と、
前記判定部により覗き込まれていると判定された場合、前記画像処理及び前記輝度調整の少なくとも一つを継続し、前記判定部により覗き込まれていないと判定された場合、前記画像処理及び前記輝度調整の少なくとも一つの実行時間を短縮し、または前記画像処理及び前記輝度調整の少なくとも一つを中止する制御部を備えることを特徴とする請求項３または請求項４に記載の画像再生装置。
【請求項６】
前記投映部の投映部レンズを保護するカバーと、
前記カバーの開閉を検出するカバー検出部と、
前記カバー検出部により前記カバーが開かれたことが検出されたときに前記投映部による投映開始を指示する指示部と
を備えることを特徴とする請求項２〜４の何れか一項に記載の画像再生装置。
【請求項７】
前記画像処理及び前記輝度調整の少なくとも一つの実行を設定する設定部を備え、
前記設定部による設定がなされてない場合、前記画像処理及び前記輝度調整の何れも実行せずに前記投映部による投映を行うことを特徴とする請求項３〜６の何れか一項に記載の画像再生装置。
【請求項８】
被写体に照射する照射光を発光する発光部と、
前記画像処理及び前記輝度調整の少なくとも一つが実行されている間、前記発光部により前記照射光を発光させる発光制御部と
を備えることを特徴とする請求項３〜７の何れか一項に記載の画像再生装置。
【発明の詳細な説明】
【技術分野】
【０００１】
本発明は画像再生装置に関するものである。
【背景技術】
【０００２】
リモコン等による投映操作がなされた場合であっても投映光を発光しない、いわゆるチャイルドロック機能を備えたプロジェクタが知られている（例えば、特許文献１参照）。
【先行技術文献】
【特許文献】
【０００３】
【特許文献１】特開２０１０−２１１１９９号公報
【発明の概要】
【発明が解決しようとする課題】
【０００４】
ところで、プロジェクタにおいては、操作者が感じる眩しさを和らげるために、投映開始から一定時間、光源の輝度を低下させて明度の低いサンプル画像を投映することが考えられる。しかしこの場合、投映開始から一定時間は、操作者が所望の画像を鑑賞することができないという問題がある。
【０００５】
本発明の目的は、操作者に眩しさを感じさせることなく速やかに所望の画像を投映することができる画像再生装置を提供することである。
【課題を解決するための手段】
【０００６】
本発明の画像再生装置は、画像データに基づく画像を再生する再生部と、前記再生部による前記画像の再生時に、前記画像の明度が所定の明度に低下する画像処理を前記画像データに対して施した後、前記画像の明度が徐々に上昇する画像処理を前記画像データに対して施す画像処理部とを備えることを特徴とする。
【発明の効果】
【０００７】
本発明の画像再生装置によれば、操作者に眩しさを感じさせることなく速やかに所望の画像を投映することができる。
【図面の簡単な説明】
【０００８】
【図１】実施の形態に係るデジタルカメラの前面を示す図である。
【図２】実施の形態に係るデジタルカメラのシステム構成を示すブロック図である。
【図３】実施の形態に係るデジタルカメラの投映処理を示すフローチャートである。
【図４】実施の形態に係るデジタルカメラにおける投映光の輝度の変化、及び投映される画像の明度の変化を示す図である。
【図５】実施の形態に係るデジタルカメラにおける投映光の輝度の変化、及び投映される画像の明度の変化を示す図である。
【発明を実施するための形態】
【０００９】
以下、図面を参照して本発明の実施の形態に係る画像再生装置について投映ユニットを備えたデジタルカメラを例に説明する。図１（ａ）は、実施の形態に係るデジタルカメラの前面を示す斜視図である。デジタルカメラ２は、筐体４を備え、筐体４の前面には、被写体光を入射させる撮影窓６、画像の投映を行う投映窓８、投映窓８を開閉するためのカバー１０、フラッシュ光を射出するフラッシュ窓１２、及びＡＦ補助光を射出する補助光窓１４が設けられている。また、筐体４の上面には、電源スイッチ１６、及びレリーズ指示を行うレリーズボタン１８が設けられている。また、筐体４の背面には、操作者が眩しさを感じないように低輝度で明度の低い画像を投映する防眩措置を実施することを設定する設定ボタン１９（図２参照）、及び投映する画像の選択等を行うマルチセレクタ２０（図２参照）が設けられている。
【００１０】
ここで、カバー１０は、図１（ｂ）に示すように、上方向及び下方向にスライド自在に取付けられており、投映を行わない場合には、図１（ｃ）に示すように、カバー１０を上方向にスライドさせて投映窓８を閉状態にする。
【００１１】
図２は、実施の形態に係るデジタルカメラ２のシステム構成を示すブロック図である。デジタルカメラ２はＣＰＵ２２を備え、ＣＰＵ２２には、電源スイッチ１６、レリーズボタン１８、設定ボタン１９、マルチセレクタ２０、ＬＣＤ表示部２６、フラッシュ窓１２を介して射出されるフラッシュ光の光源であるフラッシュ光源２８、及び補助光窓１４を介して射出されるＡＦ補助光の光源である補助光源３０、及びカバー１０の開閉を検出するカバー検出部３１が接続されている。ここで、補助光源３０は、防眩措置が実施されている場合に点滅し、補助光窓１４からＡＦ補助光を射出して防眩措置が実施されている旨の警告を行う。なお、防眩措置が実施されている旨の警告は、フラッシュ光源２８を点灯し、フラッシュ窓１２からフラッシュ光を射出することにより行うようにしてもよい。
【００１２】
また、ＣＰＵ２２には、撮影レンズ３４を介した被写体光を撮像して撮像信号を生成する撮像素子３６、撮像素子３６から出力された撮像信号により生成された画像データを一時的に記憶するバッファメモリ４０、投映する画像の画像データを記憶するメモリカード４２、メモリカード４２に記憶された画像データに基づく画像を投映する投映ユニット４４、画像データに基づく画像から人の顔を認識する顔認識部４８、及び投映する画像の明度を変化させる画像処理を画像データに対して行う画像処理部４９が接続されている。
【００１３】
ここで、投映ユニット４４は、光源であるＬＥＤ光源５０の点灯、消灯及びＬＥＤ光源５０から射出される投映光の輝度を調整する光源制御部５２、投映する画像を表示するＬＣＯＳ５４の制御を行う投映制御部５６を備えている。なお、光源制御部５２は、ＰＷＭ（Pulse Width Modulation）によりＬＥＤ光源５０の発光量を制御して投映光の輝度の調整を行うことが可能である。また、画像処理部４９は、画像データに対して投映する画像の明度を変化させるようにガンマ値の調節を行なう。
【００１４】
次に図３に示すフローチャートを参照して実施の形態に係るデジタルカメラ２の投映処理について説明する。まず、操作者によりカバー１０が下方向にスライドされ（図１（ｂ）参照）、カバー検出部３１によりカバー１０が開かれたことが検出されると（ステップＳ１）、ＣＰＵ２２は、防眩措置を実施することが設定されているか否かを判定する（ステップＳ２）。
【００１５】
防眩措置を実施することが設定されていない場合（ステップＳ２：Ｎｏ）、ＣＰＵ２２は、投映ユニット４４に対して投映開始の指示を行い、投映ユニット４４により防眩措置を行わずに投映を行う通常投映を開始する（ステップＳ１５）。即ち、ＣＰＵ２２は、マルチセレクタ２０の操作により操作者が選択した画像の画像データをメモリカード４２から読み出して、投映制御部５６により画像データに基づく画像をＬＣＯＳ５４に表示する。
【００１６】
また、光源制御部５２は、投映開始の指示により、ＬＥＤ光源５０から射出される投映光の輝度を予め設定されている所定の輝度に調整して点灯し、投映窓８から投映光を射出して画像データに基づく画像を図示しない投映面に投映する。ここで、通常投映においてＬＥＤ光源５０から射出される投映光の輝度を輝度１００％、通常投映において投映される画像の明度を明度１００％として以下の説明を行う。
【００１７】
一方、防眩措置を実施することが設定されている場合（ステップＳ２：Ｙｅｓ）、ＣＰＵ２２は、通常投映を行う前に輝度の低い投映光で明度の低い画像を投映する発光示唆動作を開始する。なお、図３の右側に示すように、防眩措置には、発光示唆動作と発光示唆動作終了後に投映される画像を徐々に明るくする増光処理とが含まれる。
【００１８】
発光示唆動作において、ＣＰＵ２２は、補助光源３０を点滅させ、補助光窓１４からＡＦ補助光を射出して防眩措置が行われている旨の警告を行う（ステップＳ３）。次に、ＣＰＵ２２は、マルチセレクタ２０の操作により操作者が選択した画像の画像データをメモリカード４２から読み出し、画像処理部４９において、画像の明度を通常投映における画像の明度の３０％の明度（明度３０％）に低下させる画像処理を画像データに対して行う（ステップＳ４）。次に、ＣＰＵ２２は、投映ユニット４４に対して投映開始の指示を行い、投映制御部５６により、図４の下段に示す図のように、画像処理を行った画像データに基づく明度３０％の画像をＬＣＯＳ５４に表示する。
【００１９】
また、光源制御部５２は、投映開始の指示により、図４の上段に示す図のように、ＬＥＤ光源５０から射出される投映光の輝度を通常投映における投映光の輝度の３０％の輝度（輝度３０％）に調整して点灯し（ステップＳ５）、投映窓８から輝度３０％の投映光を射出して、画像処理を行った画像データ基づく明度３０％の画像を図示しない投映面に投映する。
【００２０】
次に、ＣＰＵ２２は、投映窓８が人に覗き込まれていないかどうかを監視するために、撮像素子３６によりデジタルカメラ２の前方の領域の撮影を開始する（ステップＳ６）。ここで、撮像素子３６による撮影は、動画撮影または、一定時間間隔での静止画撮影により行われ、撮像素子３６により撮影された画像の画像データは、バッファメモリ４０に記憶される。
【００２１】
次に、ＣＰＵ２２は、バッファメモリ４０から画像データを読み出し、顔認識部４８により画像データに基づく画像に人の顔の形状が含まれているか否かの判定を行う（ステップＳ７）。ここで、画像における人の顔検出は、画像において人物の顔を認識する顔認識処理により行う。
【００２２】
画像データに基づく画像に人の顔の形状が含まれていない場合（ステップＳ７：Ｎｏ）、即ち、投映窓８が人に覗き込まれていない場合、ＣＰＵ２２は、補助光源３０を消灯して警告を中止する（ステップＳ１３）。そして、画像処理部４９による画像処理を終了し（ステップＳ１４）、防眩措置を中止して通常投映に切換える（ステップＳ１５）。
【００２３】
一方、画像データに基づく画像に人の顔の形状が含まれている場合（ステップＳ７：Ｙｅｓ）、即ち、投映窓８が人に覗き込まれている場合、ＣＰＵ２２は、投映開始の指示がなされてから所定の時間が経過したか否かの判定を行う（ステップＳ８）。ここで、所定の経過時間については操作者が任意に、例えば１秒のように設定することができる。
【００２４】
投映開始の指示がなされてから１秒が経過していない場合（ステップＳ８：Ｎｏ）、ステップＳ７の処理に戻る。即ち、投映開始の指示がなされてから１秒間人の顔が検出され続けている場合、発光示唆動作を継続し、投映開始の指示がなされてから１秒の間に人の顔が検出されなくなった場合、ＣＰＵ２２は、発光示唆動作を中止して通常投映に切換える（ステップＳ１３〜１５）。
【００２５】
一方、投映開始の指示がなされてから１秒が経過した場合（ステップＳ８：Ｙｅｓ）、増光処理を開始する。まず、ＣＰＵ２２は、光源制御部５２により、ＬＥＤ光源５０から射出される投映光の輝度を調整し、投映光の輝度を段階的に上昇させる（ステップＳ９）。例えば、図４の上段に示す図のように、０．５秒（５００ｍｓ）経過するごとに投映光の輝度を１ステップずつ上昇させる。ここで、図４の上段に示す図では、輝度３０％から輝度１００％までの投映光の輝度を１０ステップに分け、１ステップで投映光の輝度が７％上昇する場合を例に示している。
【００２６】
また、ＣＰＵ２２は、投映する画像の明度を上昇させる処理を開始する（ステップＳ１０）。例えば、図４の下段に示す図のように、投映する画像の明度を明度３０％から徐々に上昇させて行く。なお、明度の上昇が完了した場合、画像処理が行われていない画像データに基づいて明度１００％の画像が投映される。
【００２７】
ここで、ＣＰＵ２２は、増光処理が行われている間、顔認識部４８による画像データに基づく画像に人の顔の形状が含まれているか否かの判定を継続して行う（ステップＳ１１）。そして、画像データに基づく画像に人の顔の形状が含まれていない場合（ステップＳ１１：Ｎｏ）、ＣＰＵ２２は、補助光源３０を消灯して警告を中止する（ステップＳ１３）。そして、画像処理部４９による画像処理を終了し（ステップＳ１４）、防眩措置を中止して通常投映に切換える（ステップＳ１５）。
【００２８】
一方、画像データに基づく画像に人の顔の形状が含まれている場合（ステップＳ１１：Ｙｅｓ）、ＣＰＵ２２は、ＬＥＤ光源５０から射出される投映光の輝度、及び投映する画像の明度が１００％になったか否かの判定を行う（ステップＳ１２）。
【００２９】
ＬＥＤ光源５０から射出される投映光の輝度、及び投映する画像の明度が１００％になっていない場合（ステップＳ１２：Ｎｏ）、ステップＳ１１の処理に戻る。即ち、人の顔が検出され続けている場合、増光処理を継続し、人の顔が検出されなくなった場合、ＣＰＵ２２は、増光処理を中止して通常投映に切換える（ステップＳ１３〜１５）。なお、増光処理が中止されず継続して行われた場合、図４に示すように、投映開始の指示がなされてから５．５秒（５５００ｍｓｅｃ）が経過したときに、ＬＥＤ光源５０から射出される投映光の輝度、及び投映する画像の明度が１００％に到達する。
【００３０】
ＬＥＤ光源５０から射出される投映光の輝度、及び投映する画像の明度が１００％になった場合（ステップＳ１２：Ｙｅｓ）、ＣＰＵ２２は、補助光源３０を消灯して警告を中止する（ステップＳ１３）。そして、画像処理部４９による画像処理を終了して（ステップＳ１４）、通常投映を開始する（ステップＳ１５）。
【００３１】
この実施の形態に係るデジタルカメラ２によれば、防眩措置が実施されている場合、一旦輝度の低い投映光（輝度３０％）で明度の低い画像（明度３０％）を投映した後、投映光の輝度及び投映する画像の明度を段階的に上昇させるため、操作者に眩しさを感じさせることなく速やかに所望の画像を投映することができる。また、投映窓８が人に覗き込まれていない場合、防眩措置を中止して通常投映に切換えるため、無用な防眩措置を行わないようにすることができる。また、防眩措置が終了した場合、ＡＦ補助光の発光を終了することにより、防眩措置が終了したことを操作者に的確に報知することができる。
【００３２】
なお、上述の実施の形態において、防眩措置を実施することが設定されている場合に投映光の輝度を低下させないようにしてもよい。即ち、発光示唆動作が開始された場合において、輝度１００％の投映光により明度３０％の画像を投映するようにしてもよい。そして、増光処理において、投映光の輝度を輝度１００％に維持したまま、投映する画像の明度を明度３０％から徐々に上昇させる。これにより、ＬＥＤ光源５０に用いられるＬＥＤの物理特性の個別のばらつきによる影響を受けずに、一定の変化率で投映される画像を明るくすることができる。
【００３３】
また、上述の実施の形態においては、図４の上段に示す図のように、一定の変化率で段階的に投映光の輝度が上昇する場合を例に説明しているが、光源制御部５２からの電流制御値を一定の上昇率で上昇させた場合、電流制御値の上昇率と輝度の上昇率とが一致せず、例えば、図５に示すように、電流制御値が１００％となる前に投映光の輝度（図５の上側に示す破線参照）が１００％近くに到達する場合がある。この場合、投映光の輝度が１００％近くに到達したＡ時点から実際に投映光の輝度が１００％に到達する通常投映開始時点までのＢ区間においては、投映光の輝度はほとんど上昇しないため、操作者は、Ｂ区間においても画像が次第に明るくなっていることを実感することができない。このため、ＡＦ補助光によって防眩措置が行われている旨の警告がなさているにもかかわらず、操作者は、Ａ時点において防眩措置が終了したと誤解する恐れがある。
【００３４】
このような問題を解決するため、図５に示すように、Ａ時点までは投映する画像の明度（図５の下側に示す一点鎖線参照）を緩やかに上昇させ、Ａ時点経過後は投映する画像の明度の上昇を早めて、防眩措置が継続している間、常に一定の変化率で画像が明るくなっていること（図５の破線と一点鎖線の間に示す実線参照）を操作者に目視させるようにしてもよい。これにより、操作者に対して防眩措置が継続していることを的確に認識させることができる。
【００３５】
また、上述の実施の形態においては、投映窓８が人に覗き込まれていない場合に通常投映に切換える場合を例に説明しているが、防眩措置の所要時間を短縮するようにしてもよい。例えば、画像データに基づく画像に人の顔の形状が含まれていない場合、増光処理において、図４の上段に示す１ステップ（５００ｍｓ）の時間を短縮し、また、図４の下段に示す各段階の画像の投映時間を短縮することにより、増光処理開始から終了までに係る時間を短縮してもよい。これにより、防眩措置を実施することが設定されていても速やかに通常投映を行うことができる。
【００３６】
また、上述の実施の形態においては、顔認識部４８により画像データに基づく画像に人の顔の形状が含まれているか否かを判定することにより投映窓８が人に覗き込まれていないかどうかを監視しているが、他の手段を用いてもよい。例えば、顔認識部４８に年齢認識機能を備え、顔認識部４８により認識された顔が大人の顔である場合には、防眩措置を中止して通常投映に切換え、顔認識部４８により認識された顔が子供の顔である場合には、防眩措置を継続するようにしてもよい。これにより、特に眩しさに敏感な幼児等が投映窓８を覗き込んだ場合等において的確に防眩措置を機能させ、投映光により幼児等が眩しさを感じることを防止することができる。また、顔認識部４８により画像データに基づく画像から人の眼を検出することにより投映窓８が人に覗き込まれていないかどうかを監視してもよい。
【００３７】
また、水平面に対するデジタルカメラ２の傾斜角度を計測する傾斜角センサを備えるようにしてもよい。そして、投映窓８が天空方向に向けられている場合に防眩措置を続行し、投映窓８が天空方向に向けられていない場合には防眩措置を中止して通常投映に切換えるようにしてもよい。これにより、例えば、操作者が投映窓８を覗き込むためにデジタルカメラ２を天空方向に傾けた場合に防眩措置を機能させて操作者が感じる眩しさを和らげ、デジタルカメラ２が水平方向を向いており投映光により操作者が眩しさを感じる恐れがない場合には、直ちに所望の画像を投映することができる。
【００３８】
また、デジタルカメラ２の前方の音声を取得するマイクを備えてもよい。そして、マイクにより取得した音声の入力レベルに基づいて投映窓８が人に覗き込まれているか否かを判定するようにしてもよい。また、更に、マイクにより取得した音声信号に人の声の成分が多く含まれているか否かを判定する音声判定部を備えてもよい。
【００３９】
また、デジタルカメラ２の前面近傍の温度を計測する温度センサを備えてもよい。そして、デジタルカメラ２の前面近傍において人の体温に相当する温度を検知した場合には防眩措置を継続し、人の体温に相当する温度を検知しない場合には、防眩措置を中止して通常投映に切換えるようにしてもよい。
【００４０】
また、上述の実施の形態において、撮影レンズ３４の破損を防止する撮影レンズバリアを投映窓８に備え、また、撮影レンズバリアの開閉動作を行う開閉操作部を備えるようにしてもよい。そして、ＣＰＵ２２は、開閉操作部の操作により撮影レンズバリアの開閉動作が行われたときに投映開始の指示を行うようにしてもよい。
【００４１】
また、上述の実施の形態においては、投映開始の指示がなされたときから所定の時間画像の明度を所定の明度に低下させ、その後画像の明度を順次上昇させる場合を例に説明しているが、カバー検出部３１によりカバー１０が開かれたことが検出されたときから所定の時間画像の明度を所定の明度に低下させ、その後画像の明度を順次上昇させるようにしてもよい。
【００４２】
また、上述の実施の形態においては、発光示唆動作においてＬＥＤ光源５０から射出される投映光の輝度を輝度３０％とし、投映される画像の明度を明度３０％に低下させる場合を例に説明しているが、発光示唆動作における投映光の輝度、及び画像の明度は３０％に限定されない。
【００４３】
また、上述の実施の形態において、画像処理部４９により明度を低下させる画像は、投映ユニット４４を用いて投映する画像に限定されない。例えば、画像処理部４９において、ＬＣＤ表示部２６に表示する画像の画像データに明度を低下させる画像処理を行ってもよい。そして、明度の低い画像を所定の時間ＬＣＤ表示部２６に表示し、その後ＬＣＤ表示部２６に表示された画像の明度を徐々に上昇させるようにしてもよい。
【符号の説明】
【００４４】
２…デジタルカメラ、６…撮影窓、８…投映窓、１０…カバー、１２…フラッシュ窓、１４…補助光窓、２２…ＣＰＵ、２６…ＬＣＤ表示部、２８…フラッシュ光源、３０…補助光源、３１…カバー検出部、３６…撮像素子、４２…メモリカード、４４…投映ユニット、４８…顔認識部、４９…画像処理部、５０…ＬＥＤ光源、５２…光源制御部、５４…ＬＣＯＳ、５６…投映制御部
【図１】
2013250358.tif 000003
【図２】
2013250358.tif 000004
【図３】
2013250358.tif 000005
【図４】
2013250358.tif 000006
【図５】
2013250358.tif 000007